(57)【特許請求の範囲】
【請求項１】
中央に配置された左右一対の中央脚柱と、
該中央脚柱の上部に固定されて前後方向に延出したブラケットと、
該ブラケットに基端がピンで枢着されて折畳乃至展開自在な左右一対のベースフレームと、
前記中央脚柱を左右のベースフレームの展開時に起立状に保持する保持手段と、
該ベースフレームの外端側の左右にそれぞれ枢着され、ベースフレームの側方枠部と平行に延びる横片部とその先端で折曲される縦片部とからなり該縦片部の下端に車輪を軸支した外側脚柱と、
該外側脚柱と前記中央脚柱に両端が枢着されて両者の間に掛け渡されたリンク部材と、
左右のベースフレームが展開され、または折畳まれた状態で拘束されるフレームロック手段とからなっており、
該フレームロック手段が、
同一線上で対向する一対のベースフレームの横フレームの外側に固定されて前記ピンにベースフレームと共に枢着された一対の左右対称のロック受片と、
各ロック受片に、前記ピンの枢着点を中心に折畳乃至展開方向に９０°間隔で穿設された折畳用ロック孔と展開用ロック孔と、
前記中央脚柱に枢動可能に支持されて前記折畳用ロック孔と展開用ロック孔のの突入方向に付勢されたレバー片と、
該レバー片に設けられて前記一対のロック受片の折畳用ロック孔または展開用ロック孔に係合可能な一対のロックピンとからなっていることを特徴とした中折式構造体。
【請求項２】
ロック受片が、展開時に下方となり折畳時に向かい合う側の辺を円弧状とした略蒲鉾断面状のプレートからなっていることを特徴とする請求項１に記載の中折式構造体。
【請求項３】
保持手段が、一対の中央脚柱間の下方に横架された連結杆と、
前記左右のベースフレームの各横フレームの自由端近傍に一端が枢着され、他端が前記連結杆の端部近傍に枢着されて横フレームから連結杆にベースフレームの内側へ向かって斜めに延びており、ベースフレームの折畳時には緊張が解かれ、ベースフレームの展開時には緊張して中央脚柱を垂直に保持するゴム索などの付勢部材とを有することを特徴とする請求項１に記載の中折式構造体。
【発明の詳細な説明】
【０００１】
【発明の属する技術分野】
本発明は、折畳時に中央が上昇して折り畳まれるベッド等の中折式構造体に関する。
【０００２】
【従来の技術】
従来、折畳時に中央が上昇して折り畳まれるベッドやステージ等の中折式構造体として種々構造が知られているが、大型であるために構造が複雑であったり、折畳乃至展開操作が重筋作業となって、簡単に取り扱えないという欠点があった。
【０００３】
【発明が解決しようとする課題】
本発明は上記事情に鑑みてなされたものであって、その主たる課題は、ベースフレームの外端側に設けた外側脚柱に車輪を取付け、ベースフレームの折畳や展開動作に連動して外側脚柱を枢動させ車輪が床面を転動しうるようにして折畳や展開操作を容易にすることにある。
【０００４】
【課題を解決するための手段】
本発明は上記課題を解決するため、請求項１の発明では、
中央に配置された左右一対の中央脚柱と、
該中央脚柱の上部に固定されて前後方向に延出したブラケットと、
該ブラケットに基端がピンで枢着されて折畳乃至展開自在な左右一対のベースフレームと、
前記中央脚柱を左右のベースフレームの展開時に起立状に保持する保持手段と、
該ベースフレームの外端側の左右にそれぞれ枢着され、ベースフレームの側方枠部と平行に延びる横片部とその先端で折曲される縦片部とからなり該縦片部の下端に車輪を軸支した外側脚柱と、
該外側脚柱と前記中央脚柱に両端が枢着されて両者の間に掛け渡されたリンク部材と、
左右のベースフレームが展開され、または折畳まれた状態で拘束されるフレームロック手段とからなっており、
該フレームロック手段が、
同一線上で対向する一対のベースフレームの横フレームの外側に固定されて前記ピンにベースフレームと共に枢着された一対の左右対称のロック受片と、
各ロック受片に、前記ピンの枢着点を中心に折畳乃至展開方向に９０°間隔で穿設された折畳用ロック孔と展開用ロック孔と、
前記中央脚柱に枢動可能に支持されて前記折畳用ロック孔と展開用ロック孔のの突入方向に付勢されたレバー片と、
該レバー片に設けられて前記一対のロック受片の折畳用ロック孔または展開用ロック孔に係合可能な一対のロックピンとからなっていることを特徴とする。
また、請求項２の発明では、
ロック受片が、展開時に下方となり折畳時に向かい合う側の辺を円弧状とした略蒲鉾断面状のプレートからなっていることを特徴とする。
請求項３の発明では、
保持手段が、一対の中央脚柱間の下方に横架された連結杆と、
前記左右のベースフレームの各横フレームの自由端近傍に一端が枢着され、他端が前記連結杆の端部近傍に枢着されて横フレームから連結杆にベースフレームの内側へ向かって斜めに延びており、ベースフレームの折畳時には緊張が解かれ、ベースフレームの展開時には緊張して中央脚柱を垂直に保持するゴム索などの付勢部材とを有することを特徴とする。
【０００５】
【発明の実施の形態】
以下に、本発明の中折式構造体を幼児用ナップベッドに適用した場合の好適実施例について図面を参照して説明する。
ここで、図１は中折式ベッドの展開状態を示す斜視図、図２はその底面図、図３はその側断面図、図４はその正面図、図５は中折式ベッドを折畳んだ状態を示す斜視図、図６はその折畳んだ状態に至るまでの過程を示す側面図、図７は折畳んだ状態を示す側面図、図８は同正面図、図９はフレームロック装置を示す斜視図、図１０は同平面図、図１１は折畳時のロック状態を示す部分正面図、図１２は折畳時のロック状態を示す正面図、図１３はロック解除の状態を示す側断面図、図１４はロック途中の状態を示す正面図である。
【０００６】
まず、図１に示す中折式ベッドのフレーム構造は、中央に配置された左右一対の中央脚柱１と、該中央脚柱１の上部に固定されて左右方向に延出したブラケット２と、該ブラケット２に基端が枢着されて折畳乃至展開自在な左右一対のベースフレーム３、３と、前記中央脚柱１を左右のベースフレーム３の展開時に起立状に保持する保持手段と、該ベースフレーム３の外端側の左右にそれぞれ枢着され下端に車輪５を軸支した外側脚柱４と、各外側脚柱４と前記中央脚柱１に両端が枢着されて両者の間に掛け渡されたリンク部材６とからなっている。
【０００７】
即ち、左右一対に設けられた中央脚柱１は、それぞれ角パイプからなって垂直に延びており上端にブラケット２が設けられているが、ここに後述のフレームロック手段を設けてもよい。
また、左右の中央脚柱１、１間には、図２及び図９に明瞭なようにその下方で左右に横架する脚柱連結棒９が固着されて上記中央脚柱１、１を連動可能としている。
【０００８】
次に、前記ブラケット２の前後には、二分割されたベースフレーム３の端部がそれぞれピンＰ１、Ｐ２により枢着されている。
ここでベースフレーム３は、左右一対の横フレーム３ａ、３ａと、該横フレーム３ａ、３ａの外端間に連接されて左右に延びる縦フレーム３ｂと、上記横フレーム３ａ、３ａ間の略中央位置で左右に横架された中間縦フレーム３ｃと、上記横フレーム３ａ、３ａの基端寄りで左右に横架された内側縦フレーム３ｄとからなっている。
【０００９】
前記中央脚柱１の保持手段として、本実施例では、左右のベースフレーム３の横フレーム３ａの各自由端近傍には、例えばゴム索からなるバネ体１０の一端が枢着され、このバネ体１０の他端は脚柱連結棒９の端部近傍に枢着されていて、これらの間を常時、引寄せるように付勢されている。
図示例でバネ体１０は両端にフックを有しており、横フレーム３ａにはその周壁に上記一方のフックを受けるフック孔１１を穿設し、脚柱連結棒９にはこれに交差する連結プレート１２を固設し、該プレートの前後方向の両端側に前記他方のフックを受けるフック孔１３、１３がそれぞれ穿設されており、それぞれのフック孔にバネ体１０のフックが係止されている。
【００１０】
従って、ベッドを折畳むべく左右のベースフレーム３、３とが互いに引寄せられると、バネ体１０の緊張が解け、中央脚柱１がフリーとなる。
逆にベッドを展開するとバネ体１０が強く引っ張られて緊張し、中央脚柱１が垂直に保持される。
【００１１】
次に、上記各ベースフレーム３の左右両側の横フレーム３ａの外端側にはそれぞれＬ字状の外側脚柱４が枢着されている。
該外側脚柱４は、横フレーム３ａにピンＰ３で枢着されるブラケット４ｃと、該ブラケット４ｃと直交し横フレーム３ａに沿って平行に延びる横片部４ａと、該横片部４ａと直交しブラケット４ｃと段違い平行状で延長方向に延びる縦片部４ｂとからなっており、該縦片部４ｂの下端にローラまたはキャスタ等の車輪５が取り付けられている。
【００１２】
ここで車輪５は、直進可能であればベッドの折畳や展開を行うことができるが、旋回可能な首振りキャスタ等を用いれば、上記折畳乃至展開だけでなく自由方向に移動させることができる。
また、図示しないが車輪に制動機構を設けておけば、所定位置でベッドを固定することもできる。
【００１３】
次に、上記外側脚柱４と前記中央脚柱１との間にはリンク部材６が掛け渡され両端がそれぞれに枢着されている。
即ち、本実施例では、図３に明瞭に示すように、各外側脚柱４の屈曲部分に第１ピンＰ４が内向きに突設しており、また中央脚柱１の内壁面の下方には第２ピンＰ５が内向きに突設されている。
【００１４】
そしてリンク部材６は、杆材からなって両端にリングが形成されており、一方のリングを前記第１ピンＰ４に抜け出ないように嵌合して枢着し、他方のリングを前記第２ピンＰ５に抜け出ないように嵌合して枢着している。
そして、第２ピンＰ５には、前後一対のリンク部材６のそれぞれのリングが重なって嵌め込まれ枢着されている。
【００１５】
次に、本実施例では、ベッドの展開姿勢および折畳姿勢をロックするために、フレームロック手段を設けている。
ここで一例を示すフレームロック手段は、ベースフレーム３に固着されたロック受片２０と、中央脚柱１に拘束させるロック装置３０とからなっている。
即ち、ベースフレーム３の長手方向に延びる横フレーム３ａの対向端の外側には、枢着用のピンＰ１，Ｐ２で固定され、ベースフレーム３の折畳乃至展開時に該ピンＰ１，Ｐ２を中心点として傾動し、該ピンＰ１、Ｐ２を中心に折畳乃至展開方向に９０°間隔で配置された折畳用ロック孔２１と展開用ロック孔２２とを穿設した左右対称のロック受片２０、２０がそれぞれベースフレーム３に取り付けられる。
このロック受片２０は展開時に下方となり折畳時に向かい合う側の辺を円弧状とした略蒲鉾断面状のプレートからなっている。
【００１６】
一方、ロック装置３０は、図示例の場合、ブラケット２を兼ねており、中央脚柱１に固着されると共に上部を立設してベースフレーム３をピンＰ１、Ｐ２で枢支するヒンジプレート部３２とするロックベースプレート３１と、該ロックベースプレート３１の下方で外向きに立ち上がる一対のレバー取付片３３と、該レバー取付片３３，３３にピンＰ１０により枢着されたレバー片３４と、該レバー片３４に固着されて一対のピンを備えたロックピン３５と、前記ロックベースプレート３１でロックピン３５の一対のピンの位置に対応してこれが没入可能な一対のロック孔３６、３６と、前記ロックピン３５をロック孔３６へ突入させる方向に付勢させるスプリングＳとからなっている。
【００１７】
ここでロックピン３５はＵ字状の杆材からなっており、各端部がそれぞれのロック孔に嵌脱自在なピンとなり円弧状の連接部分は操作する者がピンを引き抜いてロック解除する際の指掛け部として用いることができるようになっている。
このロックピンは前記レバー片３４に個別に一対設けられ、また解除操作用の把持部もレバー片３４に設ける等の構成としてもよい。
また、レバー片３４には下端にレバー片３４のロック解除時の枢動角度を規制するストッパ３８が形成されている。
【００１８】
上記構成からなっているので、図９および図１０に示すベースフレーム３、３の展開状態では、ロックピン３５は、それぞれのロック受片２０、２０の展開用ロック孔２２、２２とその奥で連通するロック孔３６、３６に突入してベースフレーム３、３を水平な展開姿勢にロックしている。
そこで、ロックピン３５の指掛け部に指を掛けて外へ引き、ロック孔２２、３６からピンを抜いてロック解除する。
【００１９】
次いでベースフレーム３、３が起立方向に傾動するとピンＰ１、Ｐ２を中心点としてロック受片２０が傾動し、ロック解除されたピンと摺動する（図１４参照）。
そして、図１１および図１２に示す折畳姿勢になるとロック受片２０の折畳用ロック孔２１、２１とロックベースプレート３１のロック孔３６、３６が整合し、ロック方向に付勢されているロックピン３５が連通するロック孔２１、３６へ突入してベースフレーム３、３を折畳姿勢にロックする。
【００２０】
再度、展開姿勢に戻す場合には、前述のようにロックピン３５の指掛け部に指を掛けて外へ引き、ロック孔２１、３６からピンを抜いてロック解除し（図１３参照）、前記と逆にベースフレーム３、３を水平方向へ傾動させ、図９に示す水平姿勢まで戻し、この位置でロックピン３５が付勢力で整合したロック孔２２、３６に突入して展開姿勢をロックすることができる。
【００２１】
以上の構成からなる中折式ベッドの使用方法について説明する。
まず、ベッドの展開状態からベッドを折畳む場合、前述のようにロックピン３５をロック孔２２、３６から外してロック解除してから、図６に示すように、左右いずれかのベースフレーム３の一方を折畳むと、対向するベースフレーム３も連動して折畳まれる。
即ち、外側脚柱４の下端に固着された車輪５が床面上を中央方向に転動する。
【００２２】
この場合、ベースフレーム３の中央脚柱１寄りを持ち上げると、中央脚柱１が昇動し、リンク部材６も中央側の端部が引き上げられ、一方ベースフレーム３も中央側が上に引き上げられるので、外側脚柱４はピンＰ３を支点として外向きに枢動され、車輪５を常時床面上で滑動させることができる。
この際に前述のバネ体１０は横フレーム３ａと脚柱連結棒９の接近によって緊張を解き中央脚柱１の拘束を解く。
【００２３】
ベースフレーム３を図５、図７および図８で示す直立位置まで変位させると、外側脚柱４は９０度回転して横片部４ａが起立し縦片部４ｂが水平位置に変位する。
このように前後に対向するベースフレーム３、３は、折畳時に垂直に平行して立設し、外側脚柱４は縦片部４ｂが中央で前後へ延びるので安定した状態で折り畳まれたベースフレーム３、３を支持することができる。
そして前述のようにロックピン３５をロック孔２１、３６に突入させて折畳姿勢でベースフレーム３、３がロックされる。
【００２４】
また、ベースフレーム３を展開する場合は、ロックピン３５を抜いてから上記とは逆に、左右いずれかのベースフレーム３の一方を外側へ引き出すと、対向するベースフレーム３も連動して外側へ展開される。
即ち、起立状のベースフレーム３の外側脚柱４の下端に固着された車輪５が床面上を外方向に転動する。
【００２５】
この場合、ベースフレーム３の中央脚柱１寄りを押し下げると、中央脚柱１が降動し、リンク部材６も中央側の端部が引き下げられ、一方ベースフレーム３も中央側が下に引き下げられるので、外側脚柱４はピンＰ３を支点として外向きに枢動され、車輪５を常時床面上で滑動させ元の姿勢に復帰させることができる。
この際に前述のバネ体１０は横フレーム３ａと脚柱連結棒９の離反によって徐々に緊張を高めて中央脚柱１を起立状に拘束し、展開姿勢を保持する（図１〜図４参照）。
【００２６】
なお、本発明は上記実施例に限らず、例えば、その用途はベッドに限定されるものではなく、ステージやテーブル等の折畳構造体に適用することができる。
また、ベースフレームを折畳姿勢または展開姿勢でロックする手段は上記実施例に限定されず、フックとピンを用いた構造等の公知のロック構造を用いることもでき、更にロック手段を設けなくてもこの発明の技術的範囲に含まれるものである。
その他、この発明はその要旨を変更しない範囲で種々設計変更しうるものである。
【００２７】
【発明の効果】
以上詳述した如く、本発明に係わる中折式構造体は、外側脚柱の車輪を利用して折畳乃至展開を行うようにしているから、折畳み収納性、展開時の安全性に優れる。
また、外側脚柱はリンク部材により、ベースフレームの折畳時には中央で前後方向へ延びるので安定性を高めることができる。
【図面の簡単な説明】
【図１】  本発明の１実施例に係わる中折式ベッドの展開状態を示す斜視図。
【図２】  図２は図１の底面図。
【図３】  同側断面図、
【図４】  同正面図
【図５】  中折式ベッドを折畳んだ状態を示す斜視図。
【図６】  折畳んだ状態に至るまでの過程を示す側面図。
【図７】  折畳んだ状態を示す側面図。
【図８】  同正面図。
【図９】  フレームロック装置を示す斜視図。
【図１０】  同平面図。
【図１１】  折畳時のロック状態を示す部分正面図。
【図１２】  折畳時のロック状態を示す正面図。
【図１３】  ロック解除の状態を示す側断面図。
【図１４】  ロック途中の状態を示す正面図。
【符号の説明】
１  中央脚柱
２  ブラケット
３  ベースフレーム
４  外側脚柱
５  車輪
６  リンク部材
７  補助支脚
８  ヒンジプレート
９  脚柱連結棒
１０  バネ体
２０  ロック受片
２１  折畳用ロック孔
２２  展開用ロック孔
３０  ロック装置
３５  ロックピン
３６  ロック孔
【図１】
0003802635.tif 000002
【図２】
0003802635.tif 000003
【図３】
0003802635.tif 000004
【図４】
0003802635.tif 000005
【図５】
0003802635.tif 000006
【図６】
0003802635.tif 000007
【図７】
0003802635.tif 000008
【図８】
0003802635.tif 000009
【図９】
0003802635.tif 000010
【図１０】
0003802635.tif 000011
【図１１】
0003802635.tif 000012
【図１２】
0003802635.tif 000013
【図１３】
0003802635.tif 000014
【図１４】
0003802635.tif 000015